(57)【要約】【課題】  設備機器管理システムに接続して使用可能な設備機器を提供する。【解決手段】  設備機器である浴室暖房換気乾燥装置１は、設備機器管理システム１００と接続される通信制御部１０と、電源の供給及び遮断に関連する電源情報と、電源遮断前の運転情報を取得して、通信回線に接続された外部端末装置１０５に通知する制御部１６を備える。【選択図】    図１
2015228560.tif 000002
【特許請求の範囲】
【請求項１】
通信回線と接続される通信制御手段と、
電源の遮断に関連する電源情報を取得して、前記通信回線に接続された外部端末装置に通知する制御手段と
を備えたことを特徴とする設備機器。
【請求項２】
前記制御手段は、電源遮断前の運転情報を取得して、前記外部端末装置に通知する
ことを特徴とする請求項１に記載の設備機器。
【請求項３】
前記制御手段は、電源遮断前の運転情報を取得して、電源の供給が再開されると、運転情報を前記外部端末装置に通知する
ことを特徴とする請求項２に記載の設備機器。
【請求項４】
前記制御手段は、電源遮断前の運転情報を取得して、電源の供給が再開されるより前に運転情報を前記外部端末装置に通知する
ことを特徴とする請求項２に記載の設備機器。
【請求項５】
前記制御手段は、電源遮断前の運転情報に基づき、電源の供給が再開された後の運転状態を選択させる運転判断情報を前記外部端末装置に通知する
ことを特徴とする請求項３または４に記載の設備機器。
【請求項６】
請求項１から請求項５の何れか１項に記載の設備機器と、
通信回線と接続された主制御手段とを備えた
ことを特徴とする設備機器管理システム。
【請求項７】
前記主制御手段は、電源の遮断に関連する電源情報を取得して、前記通信回線に接続された外部端末装置に通知する
ことを特徴とする請求項６に記載の設備機器管理システム。
【請求項８】
前記主制御手段は、電源遮断前の前記設備機器の運転情報を取得して、電源の供給が再開されると、前記設備機器の運転情報を前記外部端末装置に通知する
ことを特徴とする請求項６または７に記載の設備機器管理システム。
【発明の詳細な説明】
【技術分野】
【０００１】
本発明は、住宅に設置される設備機器及び設備機器が接続された設備機器管理システムに関する。
【背景技術】
【０００２】
近年、ホームエネルギーマネージメントシステム（ＨＥＭＳ）と称される住宅に設置される家電機器等の設備機器の管理システムが提案されている。このような設備機器管理システムでは、スマートフォン等の外部の端末装置で設備機器を操作できるようにする技術が提案されている（例えば、特許文献１参照）。また、停電後の復電の際に、復旧を促す通知を端末側で行えるようにする技術が提案されている（例えば、特許文献２参照）。
【先行技術文献】
【特許文献】
【０００３】
【特許文献１】特開２００４−１２８５３２号公報
【特許文献２】特許５４２５２８２号公報
【発明の概要】
【発明が解決しようとする課題】
【０００４】
外部端末装置で設備機器の遠隔操作をできるようにした構成では、停電等で電源が遮断されて運転が停止されることで、外部端末装置の利用者が意図した運転が実行されていないということを認識することができなかった。
【０００５】
本発明は、このような課題を解決するためになされたもので、設備機器管理システムに接続して使用される設備機器及び設備機器が接続された設備機器管理システムを提供することを目的とする。
【課題を解決するための手段】
【０００６】
上述した課題を解決するため、本発明は、通信回線と接続される通信制御手段と、電源の遮断に関連する電源情報を取得して、通信回線に接続された外部端末装置に通知する制御手段とを備えた設備機器である。
【０００７】
また、本発明は、上述した設備機器と、通信回線と接続された主制御手段とを備えた設備機器管理システムである。
【発明の効果】
【０００８】
本発明によれば、停電等で電源が遮断されて、外部端末装置の利用者が意図した運転が実行されていないということを認識することができる。
【図面の簡単な説明】
【０００９】
【図１】本実施の形態の設備機器の一例を示す浴室暖房換気乾燥装置の機能ブロック図である。
【図２】本実施の形態の設備機器管理システムの一例を示す構成図である。
【図３】操作部の一例を示す正面図である。
【図４】外部端末装置の画面表示例を示す正面図である。
【図５】停電に関連する浴室暖房換気乾燥装置の動作の一例を示すフローチャートである。
【図６】外部端末装置での表示例を示す説明図である。
【図７】停電に関連する浴室暖房換気乾燥装置の動作の一例を示すフローチャートである。
【図８】外部端末装置での表示例を示す説明図である。
【図９】停電に関連する浴室暖房換気乾燥装置の動作の一例を示すフローチャートである。
【図１０】外部端末装置での表示例を示す説明図である。
【図１１】停電に関連する浴室暖房換気乾燥装置の動作の一例を示すフローチャートである。
【図１２】停電に関連する浴室暖房換気乾燥装置の動作の一例を示すフローチャートである。
【発明を実施するための形態】
【００１０】
以下、図面を参照して、本発明の設備機器及び設備機器管理システムの実施の形態について説明する。
【００１１】
＜本実施の形態の設備機器及び設備機器管理システムの構成例＞
図１は、本実施の形態の設備機器の一例を示す浴室暖房換気乾燥装置の機能ブロック図、図２は、本実施の形態の設備機器管理システムの一例を示す構成図である。
【００１２】
本実施の形態の設備機器としての空調装置の一例である浴室暖房換気乾燥装置１は、スマートフォン等、情報の入出力が可能な外部端末装置１０５と接続され、浴室暖房換気乾燥装置１の状態が外部端末装置１０５で取得されて、外部端末装置１０５での遠隔操作が可能に構成される。
【００１３】
浴室暖房換気乾燥装置１等の設備機器を外部端末装置１０５で操作可能とする構成として、ホームエネルギーマネージメントシステム（ＨＥＭＳ）と称される設備機器管理システム１００を備えることとしても良い。
【００１４】
設備機器管理システム１００は、浴室暖房換気乾燥装置１及び他の設備機器が接続され、浴室暖房換気乾燥装置１及び他の設備機器の状態が外部端末装置１０５で取得されて、外部端末装置１０５での浴室暖房換気乾燥装置１及び他の設備機器の遠隔操作が可能に構成される。
【００１５】
設備機器管理システム１００は、住宅２００に宅内ネットワーク１０１が構成される。設備機器管理システム１００は、ホームゲートウエイと称される主制御機器１０２が住宅２００に設置され、主制御機器１０２が宅内ネットワーク１０１に接続される。
【００１６】
また、設備機器管理システム１００は、主制御機器１０２で取得、生成された情報等、各種情報が表示される表示機器１０３が住宅２００に設置され、表示機器１０３が宅内ネットワーク１０１に接続される。
【００１７】
本実施の形態の浴室暖房換気乾燥装置１は、宅内ネットワーク１０１に接続されることで、設備機器管理システム１００に組み込まれ、宅内ネットワーク１０１に接続された主制御機器１０２との通信機能を備える。
【００１８】
設備機器管理システム１００は、浴室暖房換気乾燥装置１の他の設備機器として、例えば、床暖房装置、熱交換型換気装置等の換気装置等が、宅内ネットワーク１０１に接続される。更に、設備機器としては、エアコンディショナー、洗濯機等の家電機器２、太陽光発電装置、ヒートポンプ式の給湯器等のエネルギー機器３等が宅内ネットワーク１０１に接続され、各設備機器が、宅内ネットワーク１０１に接続された主制御機器１０２との通信機能を備える。
【００１９】
設備機器管理システム１００は、公衆回線網等の外部ネットワーク１０４と接続される。設備機器管理システム１００は、宅内ネットワーク１０１に接続される主制御機器１０２、浴室暖房換気乾燥装置１、家電機器２及びエネルギー機器３等が、外部ネットワーク１０４に接続されるスマートフォン等の外部端末装置１０５、サーバ等の外部システム１０６等との通信機能を備える。
【００２０】
設備機器管理システム１００は、外部端末装置１０５を設備機器管理システム１００に接続して使用するアプリケーションが外部端末装置１０５にインストールされる。
【００２１】
設備機器管理システム１００は、浴室暖房換気乾燥装置１等の設備機器の状態を示す情報として、運転に関連する運転情報、障害の発生の有無及び障害の内容に関連する障害情報、電源の供給及び遮断に関連する電源情報等の状態情報が設備機器から出力され、外部端末装置１０５に通知される。
【００２２】
設備機器管理システム１００では、主制御機器１０２からの要求、浴室暖房換気乾燥装置１等の設備機器での状態の変化の検出等の所定のタイミングで設備機器から出力される状態情報が主制御機器１０２で取得され、状態情報が所定のタイミングで外部端末装置１０５に通知される。
【００２３】
設備機器管理システム１００は、設備機器の状態情報として、例えば浴室暖房換気乾燥装置１では、実行中の運転モード、運転モードにおける風量の設定等の情報が外部端末装置１０５に通知される。また、停電等による電源の遮断の有無、障害の発生等による運転の可否等の情報が外部端末装置１０５に通知される。
【００２４】
そして、設備機器管理システム１００は、浴室暖房換気乾燥装置１等の状態情報が、外部端末装置１０５にインストールされたアプリケーションにより、外部端末装置１０５で例えば目視可能な情報として出力される。
【００２５】
設備機器管理システム１００は、外部端末装置１０５にインストールされたアプリケーションにより、浴室暖房換気乾燥装置１、家電機器２及びエネルギー機器３等の設備機器の所定の操作が、外部端末装置１０５で行われる。
【００２６】
すなわち、設備機器管理システム１００は、外部端末装置１０５から出力された浴室暖房換気乾燥装置１等の設備機器を操作する外部制御情報が、操作対象の設備機器で取得され、外部制御情報に基づき設備機器が制御される。
【００２７】
また、設備機器管理システム１００は、外部端末装置１０５から取得した外部制御情報による操作に関連した操作設定情報が、外部端末装置１０５での操作対象とされた浴室暖房換気乾燥装置１等で設定される。設備機器管理システム１００は、設備機器の操作設定情報として、外部端末装置１０５から取得した外部制御情報による浴室暖房換気乾燥装置１等の操作を制限する設定、すなわち、操作を有効とするか無効とするか等が設定される。
【００２８】
浴室暖房換気乾燥装置１等の設備機器は、運転に伴う運転管理情報を取得して、保守、点検時期等の通知を行えるようにしても良い。設備機器の運転管理情報として、例えば浴室暖房換気乾燥装置１では、浴室暖房換気乾燥装置１の電源投入時等の所定の起算日、起算日からの運用時間等が取得され、運用時間に基づき点検時期を通知するようにしても良い。
【００２９】
また、設備機器管理システム１００は、浴室暖房換気乾燥装置１等の保守、管理を行う機器メーカのサーバ等の外部システム１０６に接続される構成でも良い。設備機器管理システム１００は、浴室暖房換気乾燥装置１等の保守、管理に必要な管理情報が外部システム１０６で取得される。
【００３０】
また、浴室暖房換気乾燥装置１等の運転に伴う運転管理情報が外部システム１０６で取得される。設備機器管理システム１００は、浴室暖房換気乾燥装置１等の設備機器から取得された管理情報及び運転管理情報が外部システム１０６で保存され、浴室暖房換気乾燥装置１等で保守、管理に利用される機器管理情報が、外部システム１０６から浴室暖房換気乾燥装置１に出力される。
【００３１】
設備機器管理システム１００は、設備機器の管理情報として、例えば浴室暖房換気乾燥装置１では、浴室暖房換気乾燥装置１を特定する機器情報、浴室暖房換気乾燥装置１の使用者情報等が、外部システム１０６で取得される。
【００３２】
また、設備機器管理システム１００は、設備機器の運転管理情報として、例えば浴室暖房換気乾燥装置１では、浴室暖房換気乾燥装置１の電源投入時等の所定の起算日、起算日からの運用時間、運用時間に伴う点検時期等が外部システム１０６で取得される。更に、設備機器管理システム１００は、設備機器の機器管理情報として、設備機器の運用時間の累積値、運用時間に伴う点検時期、障害情報等が設備機器に出力される。
【００３３】
次に、本実施の形態の浴室暖房換気乾燥装置１の機能について説明する。本実施の形態の浴室暖房換気乾燥装置１は、宅内ネットワーク１０１及び宅内ネットワーク１０１を介して外部ネットワーク１０４と接続される通信制御部１０を備え、設備機器管理システム１００に接続されて使用される。
【００３４】
浴室暖房換気乾燥装置１は、住宅２００の浴室２０１に設置され、浴室２０１及び他室の換気、浴室２０１の暖房、浴室２０１内にある被乾燥物の乾燥等を行う機能を備える。
【００３５】
浴室暖房換気乾燥装置１は、上述した機能を実現するため、本例では、浴室２０１の空気を吸い込んで、屋外に排気する換気ファン１１と、浴室２０１から空気を吸い込み、浴室２０１から吸い込んだ空気を循環させて浴室２０１に吹き出す循環ファン１２と、循環ファン１２で吹き出される空気を加熱するヒータ１３を備える。
【００３６】
また、浴室暖房換気乾燥装置１は、運転モードの選択、運転の停止等の利用者の操作を受け、利用者の操作に基づく制御情報を出力する操作部１４を備える。
【００３７】
更に、浴室暖房換気乾燥装置１は、操作部１４から入力された制御情報等に基づき、換気ファン１１、循環ファン１２及びヒータ１３等を制御する制御部１６を備える。
【００３８】
通信制御部１０は、設備機器管理システム１００を構成する宅内ネットワーク１０１に接続された浴室暖房換気乾燥装置１と主制御機器１０２との通信機能、浴室暖房換気乾燥装置１と、外部ネットワーク１０４に接続された外部端末装置１０５及び外部システム１０６との通信機能を実現する通信手段の一例である。
【００３９】
通信制御部１０は、浴室暖房換気乾燥装置１から主制御機器１０２へ、浴室暖房換気乾燥装置１の状態情報等の各種情報の出力、主制御機器１０２から浴室暖房換気乾燥装置１への外部制御情報等の各種情報の入力が行われる。
【００４０】
また、通信制御部１０は、宅内ネットワーク１０１と外部ネットワーク１０４が接続されることで、浴室暖房換気乾燥装置１から外部端末装置１０５あるいは外部システム１０６等の外部機器へ、浴室暖房換気乾燥装置１の状態情報等の各種情報の出力、外部端末装置１０５あるいは外部システム１０６等の外部機器から浴室暖房換気乾燥装置１への外部制御情報等の各種情報の入力が行われる。ここで、通信制御部１０は、浴室暖房換気乾燥装置１に予め実装されている装置であっても良いし、浴室暖房換気乾燥装置１とは独立した装置を、着脱可能に設ける構成としても良い。
【００４１】
換気ファン１１、循環ファン１２及びヒータ１３は、制御部１６に制御される被制御手段の一例で、換気ファン１１及び循環ファン１２は、図示しない羽根車を回転させるモータの駆動の有無、回転数等が制御される。また、ヒータ１３は、駆動の有無、出力等が制御される。
【００４２】
操作部１４は操作手段の一例で、専用線を介して浴室暖房換気乾燥装置１と接続され、浴室２０１への入口となる洗面脱衣所等、浴室暖房換気乾燥装置１の設置場所の近傍に設置される。
【００４３】
なお、浴室２０１内に人が居るか否か、浴室２０１内での人の動きを検出するため、浴室２０１内での人の動きを検出する人感センサを備えても良い。また、浴室２０１の照明スイッチの状態を検出するセンサを備えても良い。
【００４４】
制御部１６は制御手段の一例で、操作部１４での操作で選択された運転モードで運転を実行する制御情報、運転を停止させる制御情報、運転モードにおける設定を変更する制御情報等に基づき、換気ファン１１、循環ファン１２及びヒータ１３を制御する。
【００４５】
制御部１６は、予め設定された所定のプログラムに従って実行される運転モードとして、換気ファン１１を駆動することで、所定の換気風量で常時の換気運転を行う２４時間換気運転モードを備える。
【００４６】
また、制御部１６は、循環ファン１２とヒータ１３を駆動することで、浴室２０１に温風を吹き出す暖房運転を行う暖房運転モードと、換気ファン１１を駆動することで、２４時間換気運転モードでの換気風量より多い所定の換気風量で主に浴室２０１の換気運転を行う換気運転モードを備える。
【００４７】
更に、制御部１６は、循環ファン１２とヒータ１３と換気ファン１１を駆動して、浴室２０１内の換気動作を行いながら、浴室内に温風を吹き出して乾燥運転を行う乾燥運転モードと、循環ファン１２を駆動して、浴室２０１内に浴室２０１の温度に応じて風を吹き出す涼風運転を行う涼風運転モードを備える。
【００４８】
また、制御部１６は、宅内ネットワーク１０１及び外部ネットワーク１０４と接続されることで、浴室暖房換気乾燥装置１で実行中の運転モードの種別、風量等、浴室暖房換気乾燥装置１の各種運転状態を示す運転情報、障害の発生の有無及び障害の内容に関連する障害情報、電源の供給及び遮断に関連する電源情報等の各種情報を、外部の装置に出力する。
【００４９】
すなわち、制御部１６は、主制御機器１０２からの要求に基づき、浴室暖房換気乾燥装置１の運転情報、障害情報及び電源情報等を主制御機器１０２に出力する。また、制御部１６は、操作部１４での操作に基づき、浴室暖房換気乾燥装置１の運転情報、障害情報及び電源情報等を主制御機器１０２に出力する。
【００５０】
更に、制御部１６は、浴室暖房換気乾燥装置１の運転情報、障害情報及び電源情報等を、外部端末装置１０５あるいは外部システム１０６等の外部機器に出力する。
【００５１】
すなわち、制御部１６は、外部ネットワーク１０４から宅内ネットワーク１０１に接続された外部端末装置１０５あるいは外部システム１０６からの要求に基づき、浴室暖房換気乾燥装置１の運転情報、障害情報及び電源情報等を、外部端末装置１０５あるいは外部システム１０６に出力する。
【００５２】
また、制御部１６は、所定時間毎等の任意のタイミング、あるいは、操作部１４での操作に基づき、浴室暖房換気乾燥装置１の運転情報、障害情報及び電源情報等を、外部端末装置１０５あるいは外部システム１０６に出力する。
【００５３】
制御部１６は、主制御機器１０２、外部端末装置１０５あるいは外部システム１０６等の外部機器からの要求に基づき、浴室暖房換気乾燥装置１を制御する外部制御情報等が入力される。
【００５４】
また、制御部１６は、主制御機器１０２、外部端末装置１０５あるいは外部システム１０６等の外部機器から入力された外部制御情報による操作に関連した操作設定情報が設定される。
【００５５】
制御部１６は、操作部１４から入力された制御情報、及び、外部端末装置１０５等から入力された外部制御情報による浴室暖房換気乾燥装置１の操作の制限として、操作を有効とするか無効とするかを、操作設定情報に基づき判断する。また、制御部１６は、外部端末装置１０５等から入力された外部制御情報による浴室暖房換気乾燥装置１の操作と、操作部１４から入力された制御情報による浴室暖房換気乾燥装置１の操作のどちらを優先するかを、操作設定情報に基づき判断する。
【００５６】
更に、制御部１６は、外部端末装置１０５から外部制御情報が入力されたことを通知する通知情報が入力されると、操作部１４等で通知情報を出力する。また、制御部１６は、操作部１４から制御情報が入力されたことを通知する通知情報が入力されると、主制御機器１０２に通知情報を出力して、外部端末装置１０５で通知情報を出力させる。
【００５７】
＜操作部の構成例＞
図３は、操作部の一例を示す正面図である。操作部１４は、運転モードを選択する運転モード選択ボタン１４ａと、運転を停止する停止ボタン１４ｂと、運転時間を設定する運転時間設定ボタン１４ｃを備える。
【００５８】
また、操作部１４は、運転モード選択ボタン１４ａで選択された運転モード、及び、各運転モードでの設定等を目視可能に出力する運転状態ランプ１４ｄを備える。更に、操作部１４は、外部端末装置１０５から外部制御情報が入力されたことを通知する外部運転通知ランプ１４ｅを備える。
【００５９】
操作部１４は、運転モード選択ボタン１４ａが押されると、選択された運転モードに対応する運転状態ランプ１４ｄが点灯する。また、選択された運転モードに対応する制御情報が制御部１６に出力される。操作部１４は、制御部１６に外部端末装置１０５から外部制御情報が入力されたことを通知する通知情報が入力されると、外部運転通知ランプ１４ｅが点灯する。
【００６０】
＜外部端末装置の構成例＞
図４は、外部端末装置の画面表示例を示す正面図である。外部端末装置１０５は、タッチパネル等と称される入力装置を有した表示部１０５ａを備え、浴室暖房換気乾燥装置１を操作する運転モード選択画面１０５ｂとして、運転モードを選択する運転モード選択ボタン１０５ｃが表示される。外部端末装置１０５は、運転モード選択ボタン１０５ｃの部位に触れられると、選択された運転モードに対応する外部制御情報が出力される。
【００６１】
＜本実施の形態の設備機器及び設備機器管理システムの動作例＞
図５は、停電に関連する浴室暖房換気乾燥装置の動作の一例を示すフローチャート、図６は、外部端末装置での表示例を示す説明図で、次に、各図を参照して、停電が発生し、復電した後の外部端末装置１０５及び浴室暖房換気乾燥装置１の動作について説明する。
【００６２】
図５のステップＳＡ１で、操作部１４で所望の運転モード選択ボタン１４ａが操作されて運転モードが選択されると、選択された運転モードに対応する制御情報が浴室暖房換気乾燥装置１の制御部１６で取得される。そして、制御部１６は、制御情報で選択されている運転モードに基づき換気ファン１１、循環ファン１２及びヒータ１３を制御して、運転を開始する。
【００６３】
あるいは、外部端末装置１０５で所望の運転モード選択ボタン１０５ｃが操作されて運転モードが選択されると、選択された運転モードに対応する外部制御情報が、外部ネットワーク１０４から宅内ネットワーク１０１を介して浴室暖房換気乾燥装置１の制御部１６で取得される。そして、制御部１６は、外部制御情報で選択されている運転モードに基づき換気ファン１１、循環ファン１２及びヒータ１３を制御して、運転を開始する。
【００６４】
操作部１４での操作で運転が開始される場合、選択された運転モードに対応する運転状態ランプ１４ｄが点灯する。また、操作部１４での操作で選択された運転モードで浴室暖房換気乾燥装置１の運転が実行されていることを通知する通知情報が外部端末装置１０５で取得され、例えば目視可能な情報として出力される。
【００６５】
住宅２００に居る人が操作部１４を操作して浴室暖房換気乾燥装置１を使用しているときに、外部端末装置１０５を所有する人が外出先等から浴室暖房換気乾燥装置１の操作を行えるようにすると、在宅の人が浴室暖房換気乾燥装置１を使用中であるにも関わらず、意図しない運転に切り替わる可能性がある。
【００６６】
そこで、操作部１４の操作で浴室暖房換気乾燥装置１の運転が行われていることを外部端末装置１０５で通知することで、外出先等から外部端末装置１０５で浴室暖房換気乾燥装置１の使用状況を確認することができ、浴室暖房換気乾燥装置１の使用状況を確認した上で、操作が可能になる。
【００６７】
外部端末装置１０５での操作で運転が開始される場合、浴室暖房換気乾燥装置１では、外部制御情報に基づき操作部１４の外部運転通知ランプ１４ｅが点灯する。
【００６８】
外部端末装置１０５を所有する人が外出先等から浴室暖房換気乾燥装置１の操作を行って浴室暖房換気乾燥装置１の運転を行わせているときに、住宅２００に居る人が操作部１４を操作して浴室暖房換気乾燥装置１を使用できるようにすると、外出先等から運転を行ったにも関わらず、意図しない運転に切り替わる可能性がある。
【００６９】
そこで、外部端末装置１０５の操作で浴室暖房換気乾燥装置１の運転が行われることを操作部１４で通知することで、外出先等から外部端末装置１０５の操作で浴室暖房換気乾燥装置１が運転されていることを操作部１４で確認することができ、浴室暖房換気乾燥装置１の使用状況を確認した上で、操作が可能になる。なお、操作部１４での通知は、表示出力に限らず、音声、警告音等でも良い。
【００７０】
ここで、外部端末装置１０５からの操作を行う場合は、パスコード等の認証情報の入力を外部端末装置１０５で要求することで、認証情報を知らない人の操作を防ぐ。
【００７１】
図５のステップＳＡ１で、操作部１４での操作あるいは外部端末装置１０５での操作で運転が開始され、図５のステップＳＡ２で、浴室暖房換気乾燥装置１の運転が継続されると、図５のステップＳＡ３で、浴室暖房換気乾燥装置１の運転情報等が記憶される。
【００７２】
すなわち、実行中の運転モード、運転モードにおける風量の設定、操作部１４での操作で運転を開始しているか、外部端末装置１０５での操作で運転を開始しているか等の運転情報が、浴室暖房換気乾燥装置１に備えられた不揮発性のメモリに記憶される。
【００７３】
図５のステップＳＡ４で、停電により電源の供給が遮断すると、浴室暖房換気乾燥装置１の運転を停止する。図５のステップＳＡ５で、停電が復旧して電源の供給が再開されると、図５のステップＳＡ６で、停電直前に記憶した運転情報が取得される。
【００７４】
制御部１６は、停電直前に記憶した運転情報を読み出し、停電等による電源の遮断があったことを示す電源情報を生成する。また、制御部１６は、図５のステップＳＡ７で、停電直前の運転が操作部１４での操作で開始したものか、外部端末装置１０５での操作で開始したものであるか判断する。
【００７５】
停電直前の運転が外部端末装置１０５での操作で開始したものであると判断すると、図５のステップＳＡ８で、停電等による電源の遮断があったことを示す電源情報を外部端末装置１０５に通知する。また、図５のステップＳＡ９で、電源情報に基づき、外部端末装置１０５で図６に示す通知画面１０５ｄを表示する。
【００７６】
通知画面１０５ｄでは、現在の運転状況を示す運転状況情報１０５ｅを表示させる。これにより、外部端末装置１０５の操作者に、停電が発生したこと、及び、停電により運転が停止して復旧後に待機していることを通知することができ、停電の発生で設備機器の運転が停止したことを、設備機器の設置場所に居なくても認識することができる。
【００７７】
本実施の形態では、停電直前の運転が操作部１４での操作で開始したものであると判断した場合、外部端末装置１０５への通知は行わない。別の実施の形態としては、停電直前の運転が操作部１４での操作で開始したものであると判断した場合でも、電源の供給が再開された後、外部端末装置１０５へ電源情報を通知し、外部端末装置１０５で通知画面１０５ｄを表示することとしても良い。
【００７８】
浴室暖房換気乾燥装置１等の設備機器が、停電等による電源遮断時に所定時間、電源を供給できる構成であれば、停電により電源の供給が遮断したことを検知すると、浴室暖房換気乾燥装置１の運転を停止する。一方、電源遮断後に供給される電源を利用して、停電直前に記憶した運転情報を取得し、停電等による電源の遮断があったことを示す電源情報を生成して外部端末装置１０５に通知することとしても良い。これにより、外部端末装置１０５では、停電等が発生した時点で、停電が発生したことを外部端末装置１０５から通知することができる。また、停電直前に記憶した運転情報から、浴室暖房換気乾燥装置１が停電前に運転していなくても、停電となった際には、停電等による電源の遮断があったことを示す電源情報を生成して外部端末装置１０５に通知することとしても良い。
【００７９】
図７は、停電に関連する浴室暖房換気乾燥装置の動作の一例を示すフローチャート、図８は、外部端末装置での表示例を示す説明図で、次に、各図を参照して、停電が発生し、復電した後の外部端末装置１０５及び浴室暖房換気乾燥装置１の動作の他の例について説明する。
【００８０】
図７のステップＳＢ１で、操作部１４で所望の運転モード選択ボタン１４ａが操作されて運転モードが選択されると、選択された運転モードに対応する制御情報が浴室暖房換気乾燥装置１の制御部１６で取得される。そして、制御部１６は、制御情報で選択されている運転モードに基づき換気ファン１１、循環ファン１２及びヒータ１３を制御して、運転を開始する。
【００８１】
あるいは、外部端末装置１０５で所望の運転モード選択ボタン１０５ｃが操作されて運転モードが選択されると、選択された運転モードに対応する外部制御情報が、外部ネットワーク１０４から宅内ネットワーク１０１を介して浴室暖房換気乾燥装置１の制御部１６で取得される。そして、制御部１６は、外部制御情報で選択されている運転モードに基づき換気ファン１１、循環ファン１２及びヒータ１３を制御して、運転を開始する。
【００８２】
図７のステップＳＢ１で、操作部１４での操作あるいは外部端末装置１０５での操作で運転が開始され、図７のステップＳＢ２で、浴室暖房換気乾燥装置１の運転が継続されると、図７のステップＳＢ３で、浴室暖房換気乾燥装置１の運転情報等が記憶される。
【００８３】
すなわち、実行中の運転モード、運転モードにおける風量の設定、操作部１４での操作で運転を開始しているか、外部端末装置１０５での操作で運転を開始しているか等の運転情報が、浴室暖房換気乾燥装置１に備えられた不揮発性のメモリに記憶される。
【００８４】
また、運転情報が宅内ネットワーク１０１を介して主制御機器１０２で取得され、主制御機器１０２に備えられた不揮発性のメモリに記憶される。更に、運転情報が宅内ネットワーク１０１から外部ネットワーク１０４を介して外部端末装置１０５で取得され、外部端末装置１０５に備えられた不揮発性のメモリに記憶される。
【００８５】
浴室暖房換気乾燥装置１等の設備機器が不揮発性のメモリ等の記憶手段を備える構成では、運転情報等を設備機器に記憶しても良い。設備機器で運転情報を記憶するタイミングは一定時間毎としても良く、また、運転開始時、運転終了時及び状態の変化を検出した時等の操作毎に記憶しても良い。
【００８６】
設備機器が不揮発性のメモリを備えていない構成では、外部端末装置１０５あるいは主制御機器１０２に運転情報等を記憶しても良い。設備機器が外部ネットワーク１０４との通信を制御する機能を備えていれば、設備機器と外部端末装置１０５との間で通信制御を行って情報の送受を行っても良い。また、主制御機器１０２が外部ネットワーク１０４との通信を制御する機能を備えていれば、設備機器と主制御機器１０２、主制御機器１０２と外部端末装置１０５との間で通信制御を行って情報の送受を行っても良い。
【００８７】
設備機器が不揮発性のメモリを備える構成でも、設備機器で記憶した運転情報等を、外部端末装置１０５あるいは主制御機器１０２に記憶しても良い。
【００８８】
なお、外部端末装置１０５で運転情報を取得するタイミングは一定時間毎としても良く、また、外部端末装置１０５の負荷を軽減するため、外部端末装置１０５あるいは主制御機器１０２からの要求に応じて取得することとしても良い。
【００８９】
更に、外部端末装置１０５が主制御機器１０２に情報取得を要求し、主制御機器１０２が各設備機器を監視して一定時間毎等に取得、記憶している該当設備機器の運転情報等を取得しても良い。また、運転開始時、運転終了時及び状態の変化を検出した時に取得しても良い。
【００９０】
図７のステップＳＢ４で、停電により電源の供給が遮断すると、浴室暖房換気乾燥装置１の運転を停止する。図７のステップＳＢ５で、停電が復旧して電源の供給が再開されると、図７のステップＳＢ６で、停電直前に記憶した運転情報が取得される。
【００９１】
制御部１６は、停電直前に記憶した運転情報を読み出し、停電等による電源の遮断があったことを示す電源情報を生成する。また、制御部１６は、図７のステップＳＢ７で、停電直前の運転が操作部１４での操作で開始したものか、外部端末装置１０５での操作で開始したものであるか判断する。
【００９２】
停電直前の運転が外部端末装置１０５での操作で開始したものであると判断すると、図７のステップＳＢ８で、停電等による電源の遮断があったことを示す電源情報を外部端末装置１０５に通知する。また、図７のステップＳＢ９で、電源情報と停電直前に記憶した運転情報に基づき、電源の供給が再開された後に浴室暖房換気乾燥装置１等の設備機器で運転をするか、運転を停止させるか、また、どの運転モードで運転させるか等の運転状態を選択させる運転判断情報を取得し、外部端末装置１０５で図８に示す復旧画面１０５ｆを表示する。
【００９３】
すなわち、運転情報を浴室暖房換気乾燥装置１で記憶し、外部端末装置１０５で記憶しない構成では、電源の供給が再開された後、電源情報と運転情報が浴室暖房換気乾燥装置１から外部端末装置１０５へ通知される。
【００９４】
運転情報を外部端末装置１０５で記憶している構成では、電源の供給が再開された後、電源情報が浴室暖房換気乾燥装置１から外部端末装置１０５へ通知される。なお、運転情報を外部端末装置１０５で記憶している構成でも、電源情報と運転情報を浴室暖房換気乾燥装置１から外部端末装置１０５へ通知し、浴室暖房換気乾燥装置１と外部端末装置１０５で記憶している運転情報を比較して、外部端末装置１０５で記憶している運転情報が最新のものであるか判断し、運転情報を更新できるようにしても良い。
【００９５】
そして、電源情報と停電直前に記憶した運転情報に基づき、復旧画面１０５ｆとして、停電前に実行されていた運転モードの種別を示す停電前運転情報１０５ｇ、現在の運転状況を示す運転状況情報１０５ｈ、運転を再開するか否かを選択させる操作ボタン１０５ｉを表示させる。
【００９６】
これにより、外部端末装置１０５の操作者に、停電により運転が停止して復旧後に待機していること、停電前に実行していた運転モードが通知され、運転を再開するか否かを、運転再開の判断基準を提供して、利用者の意図で選択させることができる。
【００９７】
図７のステップＳＢ１０で、外部端末装置１０５の操作者は、復旧画面１０５ｆの内容を確認し、運転を再開するか否かを選択する操作を行う。復旧画面１０５ｆでの操作に基づく外部制御情報が、外部ネットワーク１０４から宅内ネットワーク１０１を介して浴室暖房換気乾燥装置１の制御部１６で取得される。そして、制御部１６は、外部制御情報で選択された操作に基づき、運転の再開あるいは運転停止を継続する。
【００９８】
本実施の形態では、停電直前の運転が操作部１４での操作で開始したものであると判断した場合、外部端末装置１０５への通知は行わない。別の実施の形態としては、停電直前の運転が操作部１４での操作で開始したものであると判断した場合でも、電源の供給が再開された後、外部端末装置１０５へ電源情報等を通知し、外部端末装置１０５で復旧画面１０５ｆを表示することとしても良い。
【００９９】
また、運転モード毎に外部端末装置１０５での操作の可否が予め設定され、停電直前に記憶した運転情報に基づき、停電前に実行していた運転モードが、外部端末装置１０５で操作可能なものであれば、停電の復旧後に外部端末装置１０５へ電源情報等を通知し、外部端末装置１０５で復旧画面１０５ｆを表示しても良い。更に、停電前に実行していた運転モードが、外部端末装置１０５で操作不可能なものであれば、外部端末装置１０５での操作が不可であることを通知しても良い。
【０１００】
また、設備機器管理システム１００において、設備機器毎に外部端末装置１０５での操作の可否が予め設定され、停電直前に記憶した運転情報に基づき、停電前に運転していた設備機器が、外部端末装置１０５で操作可能なものであれば、停電の復旧後に外部端末装置１０５へ電源情報等を通知し、外部端末装置１０５で復旧画面１０５ｆを表示しても良い。更に、停電前に運転していた設備機器が、外部端末装置１０５で操作不可能なものであれば、外部端末装置１０５での操作が不可であることを通知しても良い。
【０１０１】
また、人の有無で外部端末装置１０５での操作の可否が予め設定され、設備機器の周辺の人の有無を人感センサや照明スイッチの状態から判断して、人が居ない場合は、外部端末装置１０５での操作が不可能であると判断して、外部端末装置１０５での操作が不可であることを通知しても良い。これにより、停電復旧後でも、設備機器を点検した後でないと運転が再開できないようにすることができ、安全性が向上する。
【０１０２】
浴室暖房換気乾燥装置１等の設備機器が、停電等による電源遮断時に所定時間、電源を供給できる構成であれば、停電により電源の供給が遮断したことを検知すると、浴室暖房換気乾燥装置１の運転を停止する。一方、電源遮断後に供給される電源を利用して、停電直前に記憶した運転情報を取得し、停電等による電源の遮断があったことを示す電源情報を生成して外部端末装置１０５に通知することとしても良い。
【０１０３】
また、停電直前に記憶した運転情報から、浴室暖房換気乾燥装置１が停電前に運転していなくても、停電となった際には、停電等による電源の遮断があったことを示す電源情報を生成して外部端末装置１０５に通知すると共に、電源情報と停電直前に記憶した運転情報に基づき、復旧画面として、停電前は運転停止中であったことを外部端末装置１０５で通知することとしても良い。
【０１０４】
図９は、停電に関連する浴室暖房換気乾燥装置の動作の一例を示すフローチャート、図１０は、外部端末装置での表示例を示す説明図で、次に、各図を参照して、停電が発生し、復電した後の外部端末装置１０５及び浴室暖房換気乾燥装置１の動作の他の例について説明する。
【０１０５】
図９のステップＳＣ１で、操作部１４で所望の運転モード選択ボタン１４ａが操作されて運転モードが選択されると、選択された運転モードに対応する制御情報が浴室暖房換気乾燥装置１の制御部１６で取得される。そして、制御部１６は、制御情報で選択されている運転モードに基づき換気ファン１１、循環ファン１２及びヒータ１３を制御して、運転を開始する。
【０１０６】
あるいは、外部端末装置１０５で所望の運転モード選択ボタン１０５ｃが操作されて運転モードが選択されると、選択された運転モードに対応する外部制御情報が、外部ネットワーク１０４から宅内ネットワーク１０１を介して浴室暖房換気乾燥装置１の制御部１６で取得される。そして、制御部１６は、外部制御情報で選択されている運転モードに基づき換気ファン１１、循環ファン１２及びヒータ１３を制御して、運転を開始する。
【０１０７】
図９のステップＳＣ１で、操作部１４での操作あるいは外部端末装置１０５での操作で運転が開始され、図９のステップＳＣ２で、浴室暖房換気乾燥装置１の運転が継続されると、図９のステップＳＣ３で、浴室暖房換気乾燥装置１の運転情報等が記憶される。
【０１０８】
すなわち、予め設定される時間情報、時間情報に基づく運転の実行の有無、実行中の運転モード、運転モードにおける風量の設定、操作部１４での操作で運転を開始しているか、外部端末装置１０５での操作で運転を開始しているか等の運転情報が、浴室暖房換気乾燥装置１に備えられた不揮発性のメモリに記憶される。
【０１０９】
予め設定される時間情報としては、所謂タイマ運転を行うため、操作部１４あるいは外部端末装置１０５の操作で運転開始前に設定される運転開始時刻、運転停止時刻、運転時間等が記憶される。また、運転開始後に設定が変更される運転停止時刻、運転時間等が記憶される。更に、所定の運転モードに対して予め設定されている運転時間が記憶される。
【０１１０】
また、運転情報が宅内ネットワーク１０１を介して主制御機器１０２で取得され、主制御機器１０２に備えられた不揮発性のメモリに記憶される。更に、運転情報が宅内ネットワーク１０１から外部ネットワーク１０４を介して外部端末装置１０５で取得され、外部端末装置１０５に備えられた不揮発性のメモリに記憶される。
【０１１１】
図９のステップＳＣ４で、停電により電源の供給が遮断すると、浴室暖房換気乾燥装置１の運転を停止する。図９のステップＳＣ５で、停電が復旧して電源の供給が再開されると、図９のステップＳＣ６で、停電直前に記憶した運転情報が取得される。
【０１１２】
制御部１６は、停電直前に記憶した運転情報を読み出し、停電等による電源の遮断があったことを示す電源情報を生成する。また、制御部１６は、図９のステップＳＣ７で、停電直前の運転が操作部１４での操作で開始したものか、外部端末装置１０５での操作で開始したものであるか判断する。
【０１１３】
停電直前の運転が外部端末装置１０５での操作で開始したものであると判断すると、図９のステップＳＣ８で、停電等による電源の遮断があったことを示す電源情報を外部端末装置１０５に通知する。また、図９のステップＳＣ９で、電源情報と停電直前に記憶した運転情報に基づき、外部端末装置１０５で図１０に示す復旧画面１０５ｊを表示する。
【０１１４】
すなわち、運転情報を浴室暖房換気乾燥装置１で記憶し、外部端末装置１０５で記憶しない構成では、電源の供給が再開された後、電源情報と運転情報が浴室暖房換気乾燥装置１から外部端末装置１０５へ通知される。
【０１１５】
運転情報を外部端末装置１０５で記憶している構成では、電源の供給が再開された後、電源情報が浴室暖房換気乾燥装置１から外部端末装置１０５へ通知される。なお、運転情報を外部端末装置１０５で記憶している構成でも、電源情報と運転情報を浴室暖房換気乾燥装置１から外部端末装置１０５へ通知し、浴室暖房換気乾燥装置１と外部端末装置１０５で記憶している運転情報を比較して、外部端末装置１０５で記憶している運転情報が最新のものであるか判断し、運転情報を更新できるようにしても良い。
【０１１６】
そして、電源情報と停電直前に記憶した運転情報に基づき、復旧画面１０５ｊとして、停電前に実行あるいはタイマ運転で予約されていた運転モードの種別を示す停電前運転情報１０５ｋ、停電前に実行されていた運転モードがタイマ運転であった場合の残り運転時間、停電前にタイマ運転で予約されていた運転開始時刻等の時間情報１０５ｍ、現在の運転状況を示す運転状況情報１０５ｎ、運転を再開するか否かを選択させる操作ボタン１０５ｐを表示させる。
【０１１７】
これにより、外部端末装置１０５の操作者に、停電により運転が停止して復旧後に待機していること、停電前に実行していた運転モード、及び、時間情報が設定されている運転モードである場合は、残りの運転時間、あるいは、停電前にタイマ運転で予約されていた運転開始時刻等が通知され、運転を再開するか否かを、運転再開の判断基準を提供して、利用者の意図で選択させることができる。なお、タイマ運転による運転開始時刻、運転終了時刻、運転時間を、復旧画面１０５ｊで変更できるようにしても良い。
【０１１８】
例えば、停電前に乾燥運転を行っていた場合、停電の時間が短ければ、停電前の運転時間に継続して、残りの運転時間分乾燥運転を再開すれば、所期の目的を達成できると判断でき、このような場合は、残りの運転時間分乾燥運転を実行するとの選択が可能である。
【０１１９】
一方、停電前に暖房運転を行っていた場合、停電の時間が長ければ、浴室内の温度が低下し、残りの運転時間分暖房運転を再開しても、所期の目的を達成できないと判断でき、このような場合は、最初から暖房運転を実行するとの選択が可能である。
【０１２０】
図９のステップＳＣ１０で、外部端末装置１０５の操作者は、復旧画面１０５ｆの内容を確認し、運転を再開するか否かを選択する操作を行う。復旧画面１０５ｆでの操作に基づく外部制御情報が、外部ネットワーク１０４から宅内ネットワーク１０１を介して浴室暖房換気乾燥装置１の制御部１６で取得される。そして、制御部１６は、外部制御情報で選択された操作に基づき、運転の再開あるいは運転停止を継続する。
【０１２１】
本実施の形態では、停電直前の運転が操作部１４での操作で開始したものであると判断した場合、外部端末装置１０５への通知は行わない。別の実施の形態としては、停電直前の運転が操作部１４での操作で開始したものであると判断した場合でも、電源の供給が再開された後、外部端末装置１０５へ電源情報等を通知し、外部端末装置１０５で復旧画面１０５ｊを表示することとしても良い。
【０１２２】
浴室暖房換気乾燥装置１等の設備機器が、停電等による電源遮断時に所定時間、電源を供給できる構成であれば、停電により電源の供給が遮断したことを検知すると、浴室暖房換気乾燥装置１の運転を停止する。一方、電源遮断後に供給される電源を利用して、停電直前に記憶した運転情報を取得し、停電等による電源の遮断があったことを示す電源情報を生成して外部端末装置１０５に通知することとしても良い。
【０１２３】
また、停電直前に記憶した運転情報から、浴室暖房換気乾燥装置１が停電前に運転していなくても、停電となった際には、停電等による電源の遮断があったことを示す電源情報を生成して外部端末装置１０５に通知すると共に、電源情報と停電直前に記憶した運転情報に基づき、外部端末装置１０５で所定の復旧画面を表示することとしても良い。
【０１２４】
例えば、タイマの設定で運転が予約された状態で停電が発生した場合に、停電した時間帯より後に運転開始の時刻が設定されていた運転の予約がリセットされているか否か等の状態の確認を、復旧画面で行えるようにする。
【０１２５】
図１１は、停電に関連する浴室暖房換気乾燥装置の動作の一例を示すフローチャートで、次に、各図を参照して、停電復旧後の運転再開で必要な情報を外部端末装置１０５で取得する動作例について説明する。
【０１２６】
図１１のステップＳＤ１で、外部端末装置１０５で所望の運転モード選択ボタン１０５ｃが操作されて運転モードが選択されると、選択された運転モードに対応する外部制御情報が、外部ネットワーク１０４から宅内ネットワーク１０１を介して浴室暖房換気乾燥装置１の制御部１６で取得される。そして、制御部１６は、外部制御情報で選択されている運転モードに基づき換気ファン１１、循環ファン１２及びヒータ１３を制御して、運転を開始する。
【０１２７】
図１１のステップＳＤ１で、外部端末装置１０５での操作で運転が開始され、図１１のステップＳＤ２で、浴室暖房換気乾燥装置１の運転が継続されると、図１１のステップＳＤ３で、所定の一定時間が経過したか判断する。
【０１２８】
所定の一定時間が経過したと判断されると、図１１のステップＳＤ４で、浴室暖房換気乾燥装置１の運転情報が浴室暖房換気乾燥装置１から外部端末装置１０５に送信される。
【０１２９】
すなわち、実行中の運転モード、運転モードにおける風量の設定等の運転情報が、浴室暖房換気乾燥装置１から送信され、図１１のステップＳＤ５で。外部端末装置１０５に備えられた不揮発性のメモリに記憶される。
【０１３０】
これにより、浴室暖房換気乾燥装置１で運転情報を記憶せずとも、一定時間毎に外部端末装置１０５へ運転情報が通知され、外部端末装置１０５で運転情報を取得、記憶することができる。従って、停電の復旧後に、運転情報に基づき上述した復旧画面を表示して、操作を可能とすることができる。
【０１３１】
なお、運転情報を通知するタイミングは一定時間毎としたが、外部端末装置１０５あるいは主制御機器１０２からの要求に応じて通知することとしても良い。また、運転開始時、運転終了時及び状態の変化を検出した時に通知しても良い。
【０１３２】
運転情報としては、タイマ運転等で予め設定される時間情報、時間情報に基づく運転の実行の有無等が記憶されてもよい。
【０１３３】
また、上述した実施の形態では、外部端末装置１０５の操作で運転が開始されると、一定時間毎に運転情報が外部端末装置１０５に通知されることとしたが、操作部１４の操作で運転が開始された場合も、運転情報が外部端末装置１０５に通知されることとしてもよい。この場合、運転情報としては、操作部１４での操作で運転を開始しているか、外部端末装置１０５での操作で運転を開始しているか等が記憶されても良い。
【０１３４】
図１２は、停電に関連する浴室暖房換気乾燥装置の動作の一例を示すフローチャートで、次に、各図を参照して、停電が発生した後に外部端末装置１０５での操作を無効とする動作例について説明する。
【０１３５】
図１２のステップＳＥ１で、操作部１４で所望の運転モード選択ボタン１４ａが操作されて運転モードが選択されると、選択された運転モードに対応する制御情報が浴室暖房換気乾燥装置１の制御部１６で取得される。そして、制御部１６は、制御情報で選択されている運転モードに基づき換気ファン１１、循環ファン１２及びヒータ１３を制御して、運転を開始する。
【０１３６】
あるいは、外部端末装置１０５で所望の運転モード選択ボタン１０５ｃが操作されて運転モードが選択されると、選択された運転モードに対応する外部制御情報が、外部ネットワーク１０４から宅内ネットワーク１０１を介して浴室暖房換気乾燥装置１の制御部１６で取得される。そして、制御部１６は、外部制御情報で選択されている運転モードに基づき換気ファン１１、循環ファン１２及びヒータ１３を制御して、運転を開始する。
【０１３７】
図１２のステップＳＥ１で、操作部１４での操作あるいは外部端末装置１０５での操作で運転が開始され、図１２のステップＳＥ２で、浴室暖房換気乾燥装置１の運転が継続される、
【０１３８】
図１２のステップＳＥ３で、停電等により電源の供給が遮断すると、浴室暖房換気乾燥装置１の運転を停止すると共に、図１２のステップＳＥ４で、電源遮断時間の計時を開始する。浴室暖房換気乾燥装置１等の設備機器が、バッテリ等の補助電源を備える等、停電等による電源遮断後も電源を供給できる構成であれば、停電により外部からの電源の供給が遮断されても、計時動作が可能である。
【０１３９】
停電が継続している間は、図１２のステップＳＥ５で、電源遮断時間の計時が継続される。そして、図１２のステップＳＥ６で、電源遮断時間が外部端末装置１０５での操作を無効とする設定変更時間を経過したと判断すると、図１２のステップＳＥ７で、操作設定情報において外部端末装置１０５での操作を無効とする。電源遮断時間が外部端末装置１０５での操作を無効とする設定変更時間を経過する前に、停電が復旧すれば、操作設定情報において外部端末装置１０５での操作が有効のまま維持される。
【０１４０】
停電が長期間に亘る場合は、復旧後に設備機器の点検が必要な場合がある。このような場合に、作業者や利用者の操作によらず、外部端末装置１０５からの操作を無効とすることで、設備機器の設置場所に居ない利用者による操作を行えないようにすることができる。災害等による長期間の停電では、設備機器の状態のみならず、周囲の状況を確認する必要があり、設備機器の周囲の状況が不明なまま、遠隔操作で設備機器の運転が再開されるということが防止され、二次災害の発生を防止することができる。
【０１４１】
ここで、設備機器管理システム１００、あるいは、主制御機器１０２がバッテリ等の補助電源を備える等、停電等による電源遮断後も電源を供給できる構成であれば、各設備機器が補助電源を備えていなくても、主制御機器１０２で計時動作を実行することが可能である。そして、電源遮断時間が外部端末装置１０５での操作を無効とする設定変更時間を経過したと判断すると、操作設定情報において外部端末装置１０５での操作を無効とする。補助電源としては、エネルギー機器３の太陽光発電装置を利用しても良い。
【０１４２】
なお、設備機器の出荷前に試験を行った後、設備機器が出荷され設置されるまでは電源が供給されない。このため、電源が遮断された後、電源遮断時間を計時して設定変更時間が経過すると、外部端末装置１０５での操作を無効となり、初期状態で、外部端末装置１０５での操作を無効とすることができる。また、外部端末装置１０５からの操作を有効とする場合は、利用者による設定変更が必要となり、利用者の意図を確認して、遠隔操作の有効、無効の設定が可能となる。
【０１４３】
＜設備機器及び設備機器管理システムの他の例＞
設備機器が宅内ネットワーク１０１、外部ネットワーク１０４から切り離されると、外部端末装置１０５での操作が不可能になるが、設備機器がネットワークから切り離されたことを外部端末装置１０５で認識できないと、外部端末装置１０５で操作しても設備機器が動作せず、利用者が意図した運転にならない。
【０１４４】
そこで、設備機器がネットワークから切り離されたことを外部端末装置１０５へ通知できるようにする。主制御機器１０２は、定期的に各設備機器のステータスを取得しており、このステータスが読み込めない場合は、設備機器がネットワークから切り離されたと判断して、外部端末装置１０５に設備機器を特定して通知する。
【０１４５】
また、設備機器側から、所定の操作で主制御機器１０２に対してネットワークから切り離されることを通知し、この通知を外部端末装置１０５に設備機器を特定して通知しても良い。例えば、浴室暖房換気乾燥装置１では、宅内ネットワーク１０１から切り離す動作の際に、操作部１４で所定の操作が必要となる。そこで、操作部１４での所定の操作で、宅内ネットワーク１０１から切り離されることを主制御機器１０２に通知する。
【０１４６】
更に、設備機器がネットワークから切り離されるという事象は、有線あるいは無線による接続を遮断する以外にも、設備機器自体の故障、ネットワークの故障、電源の遮断等の異なる要因で発生する。そこで、通知方法を障害の要因毎に異ならせて通知しても良い。
【０１４７】
設備機器管理システム１００では、複数の設備機器が接続されており、関連する複数の設備機器を連動する運転が可能である。しかし、連動する設備機器の何れかが故障等の障害で動作不可能な状態では、外部端末装置１０５で操作しても一部の設備機器が動作せず、設備機器の連動による所定の運転が行えない。
【０１４８】
そこで、設備機器が動作しないことを外部端末装置１０５に通知する。設備機器は、定期的に他の設備機器のステータスを取得しており、ステータスで障害の発生を検知すると、外部端末装置１０５に設備機器を特定して通知する。また、主制御機器１０２は、定期的に各設備機器のステータスを取得しており、ステータスで障害の発生を検知すると、外部端末装置１０５に設備機器を特定して通知する。
【０１４９】
例えば、設備機器として浴室暖房換気乾燥装置１とミスト発生装置が連動する構成では、外部端末装置１０５での操作で運転が開始されると、浴室暖房換気乾燥装置１は、定期的にミスト発生装置のステータスを取得し、水の供給が止まる、装置自体が故障する等、ステータスでミスト発生装置の障害の発生を検知すると、外部端末装置１０５にミスト発生装置が故障したことを通知すると共に、操作を無効とする。また、ミスト発生装置の運転を停止する。
【０１５０】
主制御機器１０２で管理する構成では、外部端末装置１０５での操作で運転が開始されると、主制御機器１０２は、定期的に浴室暖房換気乾燥装置１とミスト発生装置のステータスを取得し、水の供給が止まる、装置自体が故障する、停電等の電源遮断により、ステータスで浴室暖房換気乾燥装置１あるいはミスト発生装置の障害の発生を検知すると、外部端末装置１０５に浴室暖房換気乾燥装置１あるいはミスト発生装置が故障したことを通知すると共に、操作を無効とする。また、浴室暖房換気乾燥装置１あるいはミスト発生装置の運転を停止する。
【０１５１】
設備機器管理システム１００で連動する設備機器としては、他に、温水型の床暖房装置とヒートポンプ式の給湯器があり、例えば、給湯器での障害を検知すると、外部端末装置１０５に故障したことを通知すると共に、操作を無効とする。また、運転を停止する。また、浴槽への湯または水の供給と暖房を連動させる場合に、例えば、給湯器での障害を検知すると、外部端末装置１０５に故障したことを通知すると共に、操作を無効とする。
【０１５２】
外部端末装置１０５での遠隔操作を可能とすると、運転に適さない状況で運転が開始される可能性がある。そこで、外部端末装置１０５での操作の有効、無効の設定を、時間、日付、曜日等の日時情報で設定できるようにする。
【０１５３】
浴室暖房換気乾燥装置１では、例えば、消費電力が大きい乾燥運転モードに関しては、深夜電力を利用する時間帯は外部端末装置１０５での操作を有効とし、他の時間帯では無効とする。
【０１５４】
浴室暖房換気乾燥装置１に時計機能を備える構成では、深夜電力を使用する開始時刻と終了時刻等、深夜電力を使用する時間帯を特定する日時情報が、操作部１４あるいは外部端末装置１０５等での操作で設定される。
【０１５５】
そして、浴室暖房換気乾燥装置１で計時した時間情報と予め設定された日時情報に基づき外部端末装置１０５での操作の有効、無効を切り換えて、深夜時間帯のみ外部端末装置１０５での操作を有効とする。
【０１５６】
主制御機器１０２に時計機能を備える構成では、深夜電力を使用する開始時刻と終了時刻等、深夜電力を使用する時間帯を特定する日時情報が、所定の設備機器の操作部、主制御機器１０２の操作部あるいは外部端末装置１０５等での操作で設定される。
【０１５７】
そして、主制御機器１０２で計時した時間情報と予め設定された日時情報に基づき外部端末装置１０５での操作の有効、無効を切り換えて、深夜時間帯のみ外部端末装置１０５での操作を有効とする。
【０１５８】
また、浴室暖房換気乾燥装置１では、入浴中は外部端末装置１０５での操作を無効とし、他の時間帯では有効とする。浴室暖房換気乾燥装置１に時計機能を備える構成では、想定される入浴の開始時刻と終了時刻等、入浴する時間帯を特定する日時情報が、操作部１４あるいは外部端末装置１０５等での操作で設定される。
【０１５９】
そして、浴室暖房換気乾燥装置１で計時した時間情報と予め設定された日時情報に基づき外部端末装置１０５での操作の有効、無効を切り換えて、入浴時間帯は外部端末装置１０５での操作を無効とする。
【０１６０】
主制御機器１０２に時計機能を備える構成では、想定される入浴の開始時刻と終了時刻等、入浴する時間帯を特定する日時情報が、所定の設備機器の操作部、主制御機器１０２の操作部あるいは外部端末装置１０５等での操作で設定される。
【０１６１】
そして、主制御機器１０２で計時した時間情報と予め設定された日時情報に基づき外部端末装置１０５での操作の有効、無効を切り換えて、入浴時間帯は外部端末装置１０５での操作を無効とする。
【０１６２】
計画的な停電が予定されている場合は、停電中は外部端末装置１０５での操作を無効とし、他の時間帯では有効とする。浴室暖房換気乾燥装置１に時計機能を備える構成では、計画された停電の開始時刻と終了時刻等、停電する時間帯を特定する日時情報が、操作部１４あるいは外部端末装置１０５等での操作で設定される。
【０１６３】
そして、浴室暖房換気乾燥装置１で計時した時間情報と予め設定された日時情報に基づき外部端末装置１０５での操作の有効、無効を切り換えて、停電時間帯は外部端末装置１０５での操作を無効とする。また、停電が開始されるより所定時間前に、停電の開始時刻及び終了時刻と、操作が無効となることを外部端末装置１０５に通知しても良い。
【０１６４】
主制御機器１０２に時計機能を備える構成では、計画された停電の開始時刻と終了時刻等、停電する時間帯を特定する日時情報が、所定の設備機器の操作部、主制御機器１０２の操作部あるいは外部端末装置１０５等での操作で設定される。
【０１６５】
そして、主制御機器１０２で計時した時間情報と予め設定された日時情報に基づき外部端末装置１０５での操作の有効、無効を切り換えて、停電時間帯は外部端末装置１０５での操作を無効とする。また、停電が開始されるより所定時間前に、停電の開始時刻及び終了時刻と、操作が無効となることを外部端末装置１０５に通知しても良い。
【０１６６】
メンテナンスが実行される場合は、メンテナンス中は外部端末装置１０５での操作を無効とし、他の時間帯では有効とする。浴室暖房換気乾燥装置１に時計機能を備える構成では、メンテナンスの開始時刻と終了時刻等、メンテナンスを実行する時間帯を特定する日時情報が、操作部１４あるいは外部端末装置１０５等での操作で設定される。
【０１６７】
そして、浴室暖房換気乾燥装置１で計時した時間情報と予め設定された日時情報に基づき外部端末装置１０５での操作の有効、無効を切り換えて、メンテナンスの時間帯は外部端末装置１０５での操作を無効とする。また、メンテナンスが開始されるより所定時間前に、メンテナンスの開始時刻及び終了時刻と、操作が無効となることを外部端末装置１０５に通知しても良い。
【０１６８】
主制御機器１０２に時計機能を備える構成では、メンテナンスの開始時刻と終了時刻等、メンテナンスを実行する時間帯を特定する日時情報が、所定の設備機器の操作部、主制御機器１０２の操作部あるいは外部端末装置１０５等での操作で設定される。
【０１６９】
そして、主制御機器１０２で計時した時間情報と予め設定された日時情報に基づき外部端末装置１０５での操作の有効、無効を切り換えて、メンテナンスの時間帯は外部端末装置１０５での操作を無効とする。また、メンテナンスが開始されるより所定時間前に、メンテナンスの開始時刻及び終了時刻と、操作が無効となることを外部端末装置１０５に通知しても良い。
【産業上の利用可能性】
【０１７０】
本発明は、住宅に設置される熱源を有する浴室暖房換気乾燥装置、レンジフード、熱交換型換気装置等の他の換気装置、エアコンディショナー等の空調装置、空気清浄装置、熱源を有する床暖房装置等に適用される。
【符号の説明】
【０１７１】
１・・・浴室暖房換気乾燥装置、１０・・・通信制御部、１４・・・操作部、１６・・・制御部、１００・・・設備機器管理システム、１０１・・・宅内ネットワーク、１０２・・・主制御機器、１０５・・・外部端末装置
【図１】
2015228560.tif 000003
【図２】
2015228560.tif 000004
【図３】
2015228560.tif 000005
【図４】
2015228560.tif 000006
【図５】
2015228560.tif 000007
【図６】
2015228560.tif 000008
【図７】
2015228560.tif 000009
【図８】
2015228560.tif 000010
【図９】
2015228560.tif 000011
【図１０】
2015228560.tif 000012
【図１１】
2015228560.tif 000013
【図１２】
2015228560.tif 000014